(57)【要約】【課題】従来よりも使用者が満足することができる育毛促進装置を提供する。【解決手段】信号発生装置２は、所定の時間間隔で低周波の周波数を段階的にまたは連続的に増加させる低周波電圧信号を発生する低周波発生モードにより動作する低周波電圧信号発生部２１と、低周波電圧信号の発生を終了した後、低周波電圧信号の最大周波数の１０倍以上の周波数の高周波電圧信号を発生する高周波発生モードで動作する高周波電圧信号発生部２２とを備えている。信号発生装置２は、低周波電圧信号を発生する低周波発生モードと、低周波電圧信号の発生を終了した後、低周波電圧信号の最大周波数の１０倍以上の周波数の高周波電圧信号を発生する高周波発生モードを併用する。【選択図】図１
2018019802.tif 000002
【特許請求の範囲】
【請求項１】
所定の低周波数範囲の低周波及び所定の高周波数範囲の高周波を発生する信号発生装置と、
対象者の頭部に装着される少なくとも一対の通電用パッドを備え、
前記信号発生装置で発生した電圧信号を前記少なくとも一対の通電用パッドに供給することにより、前記対象者の頭部に刺激を与える育毛促進装置であって、
前記信号発生装置は、所定の時間間隔で前記低周波の周波数を段階的にまたは連続的に増加させる低周波電圧信号を発生する低周波発生モードにより動作する低周波電圧信号発生部と、前記低周波電圧信号の発生を終了した後、前記低周波電圧信号の最大周波数の１０倍以上の周波数の高周波電圧信号を発生する高周波発生モードで動作する高周波電圧信号発生部とを備えていることを特徴とする育毛促進装置。
【請求項２】
複数種類の前記低周波発生モードと複数種類の前記高周波発生モードから選択されて組み合わされた複数種類の動作モードを記憶した動作モード記憶部と、
前記動作モード記憶部に記憶された前記複数種類の動作モードから、１つの動作モードを選択する動作モード選択部をさらに備えている請求項１に記載の育毛促進装置。
【請求項３】
前記複数種類の動作モードには、毛根を活性にするように前記低周波発生モード及び前記高周波発生モードが定められた第１の動作モードと、頭皮の毛細血管を活性にするように前記低周波発生モード及び前記高周波発生モードが定められた第２の動作モードと、発毛を促進するように前記低周波発生モード及び前記高周波発生モードが定められた第３の動作モードと、頭皮中のホルモンを調整するように前記低周波発生モード及び前記高周波発生モードが定められた第４の動作モードが少なくとも含まれている請求項２に記載の育毛促進装置。
【請求項４】
前記第１の動作モードの前記低周波発生モードでは、前記低周波数範囲が１０Hz〜９００Hzであり、前記高周波数範囲が９kHz〜１２kHzであり、前記低周波発生モードの総動作時間が５０分以上６５分以下であり、前記高周波発生モードの総動作時間が５分以上１０分以下である請求項３に記載の育毛促進装置。
【請求項５】
前記第２の動作モードの前記低周波発生モードでは、前記低周波数範囲が１０Hz〜１６０Hzであり、前記高周波数範囲が４kHz〜７kHzであり、前記低周波発生モードの総動作時間が１２分以上１５分以下であり、前記高周波発生モードの総動作時間が５分以上１０分以下である請求項３に記載の育毛促進装置。
【請求項６】
前記第３の動作モードの前記低周波発生モードでは、前記低周波数範囲が５００Hz〜９００Hzであり、前記高周波数範囲が９kHz〜１２kHzであり、前記低周波発生モードの総動作時間が１６分以上２０分以下であり、前記高周波発生モードの総動作時間が５分以上１０分以下である請求項３に記載の育毛促進装置。
【請求項７】
前記第４の動作モードの前記低周波発生モードでは、前記低周波数範囲が１０Hz〜１５０Hzであり、前記高周波数範囲が４kHz〜１２kHzであり、前記低周波発生モードの総動作時間が１６分以上２０分以下であり、前記高周波発生モードの総動作時間が２３分以上２６分以下である請求項３に記載の育毛促進装置。
【請求項８】
前記頭皮との間に所定の間隔を開けて配置される複数の発光ダイオードを備えた光照射装置をさらに備えている請求項１乃至７に記載の育毛促進装置。
【請求項９】
前記光照射装置は、スタンドによって保持されたヘッドカバーを備えており、
前記ヘッドカバーは、輪郭形状が正Ｎ角形（Ｎは３以上６以下の整数）のパネルに波長の異なる複数種類の発光ダイオードが所定の配列に固定されたＮ＋１個の発光ダイオードユニットが、前記スタンドに保持される１つの前記発光ダイオードユニットのＮ個の辺にそれぞれＮ個の前記発光ダイオードユニットがヒンジ機構を介して角度調整可能に連結された構造を有している請求項８に記載の育毛促進装置。
【請求項１０】
前記複数種類の発光ダイオードは、波長が６４０ｎｍ〜６９０ｎｍの赤色発光ダイオードと、波長が４５０ｎｍ〜５００ｎｍの青色発光ダイオードと、波長が９２０ｎｍ〜９７０ｎｍの遠赤外線発光ダイオードからなる請求項９に記載の育毛促進装置。
【発明の詳細な説明】
【技術分野】
【０００１】
本発明は、対象者の頭皮に刺激を与えて育毛を促進する育毛促進装置に関するものである。
【背景技術】
【０００２】
特開２００５−６９８２号公報（特許文献１）には、対象者の頭皮に電極を直接当てて、電極から所定の低周波数の低周電圧及び所定の高周波数の高周波電圧を頭皮に加えることにより育毛を促進する育毛促進装置が提案されている。また最近は、対象者の頭部に装着される一対の通電用パッドに信号発生装置で発生した電圧信号を供給することにより、対象者の頭皮に刺激を与える育毛促進装置も開発されている。
【０００３】
また特許第４２５７２９４号公報（特許文献２）には、対象者の頭皮に複数種類の波長の発光ダイオードの光を照射して育毛を促進する育毛促進装置が提案されている。
【先行技術文献】
【特許文献】
【０００４】
【特許文献１】特開２００５−６９８２号公報（特許第４２４７５２８号）
【特許文献２】特許第４２５７２９４号公報
【発明の概要】
【発明が解決しようとする課題】
【０００５】
従来提案されている育毛促進装置は、それなりに一定の効果が得られるものの、使用者が満足する結果が得られていないという実情がある。
【０００６】
本発明の目的は、従来よりも使用者が満足することができる育毛促進装置を提供することにある。
【課題を解決するための手段】
【０００７】
本発明は、所定の低周波数範囲の低周波及び所定の高周波数範囲の高周波を発生する信号発生装置と、対象者の頭部に装着される少なくとも一対の通電用パッドを備え、信号発生装置で発生した電圧信号を少なくとも一対の通電用パッドに供給することにより、対象者の頭部に刺激を与える育毛促進装置を改良の対象とする。本発明では、信号発生装置が、所定の時間間隔で低周波の周波数を段階的にまたは連続的に増加させる低周波電圧信号を発生する低周波発生モードにより動作する低周波電圧信号発生部と、低周波電圧信号の発生を終了した後、低周波電圧信号の最大周波数の１０倍以上の周波数の高周波電圧信号を発生する高周波発生モードで動作する高周波電圧信号発生部とを備えている。低周波電圧信号発生部と高周波電圧信号発生部は、別々の回路装置によって構成されていてもよいが、両方のモードを一つの回路装置によって実現する１つの回路装置により、低周波電圧信号発生部と高周波電圧信号発生部を構成するようにしてもよいのは勿論である。
【０００８】
本発明で用いる信号発生装置で発生する低周波電圧信号と高周波電圧信号とを少なくとも一対の通電用パッドに印加すると、従来の育毛促進装置よりも短い期間で育毛効果が得られることが確認された。その理由は通電用パッドから頭皮に加わる低周波と高周波が頭皮マッサージとなって、傷の発生や炎症の発生を回避しながら、毛根（毛母細胞）を直接的に刺激し、毛根活性、発毛促進、毛細血管活性、ホルモン調整、高い殺菌効果で皮脂の過剰分泌を抑え、毛穴の健康化（内壁清掃、酸化老廃物抑制）、血行促進、温熱効果による表皮温度上昇等の効果が十分に発揮されるためであると考える。
【０００９】
信号発生装置は、複数種類の低周波発生モードと複数種類の高周波発生モードから選択されて組み合わされた複数種類の動作モードを記憶した動作モード記憶部と、動作モード記憶部に記憶された複数種類の動作モードから、１つの動作モードを選択する動作モード選択部とを備えているのが好ましい。このような動作モーと記憶部と動作モード選択部とを備えていれば、１台の装置において複数種類の動作モードから適宜の動作モードを選択して，より効果的に発毛を促進することが可能になる。
【００１０】
複数種類の動作モードには、毛根を活性にするように低周波発生モード及高周波発生モードが定められた第１の動作モードと、頭皮の毛細血管を活性にするように低周波発生モード及び高周波発生モードが定められた第２の動作モードと、発毛を促進するように低周波発生モード及び高周波発生モードが定められた第３の動作モードと、頭皮中のホルモンを調整するように低周波発生モード及び高周波発生モードが定められた第４の動作モードが少なくとも含まれているのが好ましい。これら第１乃至第４の動作モードが利用できれば、対象者の状態に応じた刺激を対象者の頭皮に任意に与えることができる。
【００１１】
第１の動作モードの低周波発生モードでは、低周波数範囲が１０Hz〜９００Hzであり、高周波数範囲が９kHz〜１２kHzであり、低周波発生モードの総動作時間が５０分以上６５分以下であり、高周波発生モードの総動作時間が５分以上１０分以下であるのが好ましい。
【００１２】
第２の動作モードの低周波発生モードでは、低周波数範囲が１０Hz〜１６０Hzであり、高周波数範囲が４kHz〜７kHzであり、低周波発生モードの総動作時間が１２分以上１５分以下であり、高周波発生モードの総動作時間が５分以上１０分以下であるのが好ましい。
【００１３】
第３の動作モードの低周波発生モードでは、低周波数範囲が５００Hz〜９００Hzであり、高周波数範囲が９kHz〜１２kHzであり、低周波発生モードの総動作時間が１６分以上２０分以下であり、高周波発生モードの総動作時間が５分以上１０分以下であるのが好ましい。
【００１４】
第４の動作モードの低周波発生モードでは、低周波数範囲が１０Hz〜１５０Hzであり、高周波数範囲が４kHz〜１２kHzであり、低周波発生モードの総動作時間が１６分以上２０分以下であり、高周波発生モードの総動作時間が２３分以上２６分以下であるのが好ましい。
【００１５】
本発明の育毛促進置装置が、頭皮との間に所定の間隔を開けて配置される複数の発光ダイオードを備えた光照射装置をさらに備えていてもよい。発光ダイオードからの光による刺激を併用すると、発毛の促進効果をさらに高めることができることが確認されている。
なお発光ダイオードはレーザ発光ダイオードでもよい。
【００１６】
なお光照射装置の構成は任意であるが、スタンドによって保持されたヘッドカバーを備えている構成を採用することができる。この場合、ヘッドカバーは、輪郭形状が正Ｎ角形（Ｎは３以上６以下の整数）のパネルに波長の異なる複数種類の発光ダイオードが所定の配列に固定されたＮ＋１個の発光ダイオードユニットが、スタンドに保持される１つの発光ダイオードユニットのＮ個の辺にそれぞれＮ個の発光ダイオードユニットがヒンジ機構を介して角度調整可能に連結された構造を有しているのが好ましい。このような発光ダイオードユニットを用いると、１種類の発光ダイオードユニットを用いてヘッドカバーを構成できるので、ヘッドカバーの価格を下げることができる。また予備の発光ダイオードユニットを用意してあれば、１台の発光ダイオードユニットが故障した場合でも、簡単に交換修理ができる利点がある。
【００１７】
なお複数種類の発光ダイオードは、波長が６４０ｎｍ〜６９０ｎｍの赤色発光ダイオードと、波長が４５０ｎｍ〜５００ｎｍの青色発光ダイオードと、波長が９２０ｎｍ〜９７０ｎｍの遠赤外線発光ダイオードからなるのが好ましい。このような発光ダイオードを組み合わせると、光の刺激を効果的に使用できることが確認されている。これらの波長の光またはレーザは、殺菌効果、組織の活性化、血流増進、深部の傷口の消炎及び消毒、病巣の除去、色素の沈着除去等の効果が高く、頭皮照射による発毛促進効果が高い。特に、上記波長の範囲の３種類の発光ダイオード（赤い色、青い色、近赤外線）の波長を基本とすれば、毛穴の殺菌と毛根の血流増進、そして毛根の細胞分裂活性化促進を図ることができる。
【図面の簡単な説明】
【００１８】
【図１】本実施の形態の育毛促進装置の構成の概要を示すブロック図である。
【図２】本実施の形態の育毛促進装置を具体的に実現したときのハードウエアの概要を説明するための図である。
【図３】毛根を活性にするように低周波発生モード及高周波発生モードが定められた第１の動作モードにおける低周波発生モードと高周波発生モードの制御パターンの一例を示図である。
【図４】頭皮の毛細血管を活性にするように低周波発生モード及び高周波発生モードが定められた第２の動作モードにおける低周波発生モードと高周波発生モードの制御パターンの一例を示す図である。
【図５】発毛を促進するように低周波発生モード及び高周波発生モードが定められた第３の動作モードにおける低周波発生モードと高周波発生モードの制御パターンの一例を示素図である。
【図６】頭皮中のホルモンを調整するように低周波発生モード及び高周波発生モードが定められた第４の動作モードの制御パターンの一例を示す図である。
【図７】（Ａ）は光照射装置のヘッドカバーの底面図であり、（Ｂ）はヘッドカバーの装着状態を示す図である。
【発明を実施するための形態】
【００１９】
以下図面を参照して本発明の育毛促進装置の実施の形態の一例について詳細に説明する。図１は、本実施の形態の育毛促進装置の構成の概要を示すブロック図であり、図２は本実施の形態の育毛促進装置を具体的に実現したときのハードウエアの概要を説明するための図である。本実施の形態の育毛促進装置は、低周波・高周波発生装置１と光照射装置１１とを備えている。低周波・高周波発生装置１は、主として、所定の低周波数範囲の低周波及び所定の高周波数範囲の高周波を発生する信号発生装置２と、制御部３と、動作モード記憶部４と、動作モード選択部５と、対象者の頭部に装着される一対の通電用パッド６（図２の６Ａ，６Ｂ）を備えている。
［低周波・高周波発生装置］
低周波・高周波発生装置１は、信号発生装置２で発生した電圧信号を一対の通電用パッド６（図２の６Ａ，６Ｂ）に供給することにより、対象者Ｓの頭部ＨＤに刺激を与える。図２の例では、一方の通電用パッド６Ａは対象者の額に粘着層を介して貼付され、他方の通電用パッド６Ｂも粘着層を介して対象者の襟首に貼付される。なお貼付場所は、図２の例に限定されるものではない。
【００２０】
本実施の形態では、信号発生装置２が、所定の時間間隔で低周波の周波数を段階的にまたは連続的に増加させる低周波電圧信号を発生する低周波発生モードにより動作する低周波電圧信号発生部２１と、低周波電圧信号の発生を終了した後、低周波電圧信号の最大周波数の１０倍以上の周波数の高周波電圧信号を発生する高周波発生モードで動作する高周波電圧信号発生部２２とを備えている。本実施の形態では、低周波電圧信号発生部２１と高周波電圧信号発生部２２は、別々の回路装置によって構成しているが、両方のモードを一つの回路装置によって実現する１つの回路装置により、低周波電圧信号発生部２１と高周波電圧信号発生部２２を構成するようにしてもよい。ちなみに低周波電圧信号発生部２１と高周波電圧信号発生部２２が発生する電圧信号は、６Ｖ〜３２Ｖのパルス電圧であり、その周波数は制御パターンに従って変わる。本実施の形態において、低周波数範囲は１０Hz以上１０００Hz以下の範囲であり、高周波数範囲は４kHz以上１５kHz以下の範囲である。
【００２１】
本実施の形態では、動作モード記憶部４が複数種類の低周波発生モードと複数種類の高周波発生モードから選択されて組み合わされた複数種類の動作モードを記憶している。そして動作モード選択部５が、動作モード記憶部４に記憶された複数種類の動作モードから、１つの動作モードを選択する。制御部３は、動作モード選択部５の選択により指示された動作モードを動作モード記憶部４から読み出して、信号発生装置２の低周波電圧信号発生部２１と高周波電圧信号発生部２２に信号発生に必要な低周波発生モード及び高周波発生モードを与える。低周波発生モード及び高周波発生モードを受けた低周波電圧信号発生部２１と高周波電圧信号発生部２２は、それぞれ低周波発生モード及び高周波発生モードに従って低周波電圧信号及び高周波電圧信号を出力する。図２に示したハードウエアでは、低周波・高周波発生装置１の表示画面１Ａが、タッチパネルの機能を有しており、その画面上に表示された選択ボタンと選択ボタンの操作によって選択信号を発生する機能部分が動作モード選択部５を構成することになる。
【００２２】
動作モード記憶部４に記憶された複数種類の動作モードには、例えば、毛根を活性にするように低周波発生モード及高周波発生モードが定められた第１の動作モードと、頭皮の毛細血管を活性にするように低周波発生モード及び高周波発生モードが定められた第２の動作モードと、発毛を促進するように低周波発生モード及び高周波発生モードが定められた第３の動作モードと、頭皮中のホルモンを調整するように低周波発生モード及び高周波発生モードが定められた第４の動作モードが少なくとも含まれている。これら第１乃至第４の動作モードが利用できれば、対象者の状態に応じた刺激を対象者の頭皮に任意に与えることができる。第１乃至第４の動作モードに基づいて本実施の形態で用いる信号発生装置２で発生する低周波電圧信号と高周波電圧信号とを少なくとも一対の通電用パッド６（６Ａ，６Ｂ）に印加すると、従来の育毛促進装置よりも短い期間で育毛効果が得られることが確認されている。
【００２３】
図３は、毛根を活性にするように低周波発生モード及び高周波発生モードが定められた第１の動作モードにおける低周波発生モードと高周波発生モードの制御パターンの一例を示している。図３の制御パターンでは、低周波発生モードＬと高周波発生モードＨとが交互に繰り返されているが、必ずしも低周波発生モードＬと高周波発生モードＨを繰り返して実行する必要はない。低周波発生モードＬでは、段階的に周波数が増加し、その期間も任意に変更されている。具体的には、低周波数範囲が１０Hz〜９００Hzであり、高周波数範囲が９kHz〜１２kHzであり、低周波発生モードの総動作時間が５０分以上６５分以下であり、高周波発生モードの総動作時間が５分以上１０分以下である。
【００２４】
図４は、頭皮の毛細血管を活性にするように低周波発生モード及び高周波発生モードが定められた第２の動作モードにおける低周波発生モードと高周波発生モードの制御パターンの一例を示している。図４の制御パターンでは、低周波数範囲が１０Hz〜１６０Hzであり、高周波数範囲が４kHz〜７kHzであり、低周波発生モードの総動作時間が１２分以上１５分以下であり、高周波発生モードの総動作時間が５分以上１０分以下である。
【００２５】
図５は、発毛を促進するように低周波発生モード及び高周波発生モードが定められた第３の動作モードにおける低周波発生モードと高周波発生モードの制御パターンの一例を示している。図５の制御パターンでは、低周波数範囲が５００Hz〜９００Hzであり、高周波数範囲が９kHz〜１２kHzであり、低周波発生モードの総動作時間が１６分以上２０分以下であり、高周波発生モードの総動作時間が５分以上１０分以下である。
【００２６】
図６は、頭皮中のホルモンを調整するように低周波発生モード及び高周波発生モードが定められた第４の動作モードの制御パターンの一例を示している。図６の制御パターンでは、低周波数範囲が１０Hz〜１５０Hzであり、高周波数範囲が４kHz〜１２kHzであり、低周波発生モードの総動作時間が１６分以上２０分以下であり、高周波発生モードの総動作時間が２３分以上２６分以下である。
【００２７】
上記第１乃至第４の動作モードは例であり、本発明は上記第１乃至第４の動作モードに限定されるものではない。
【００２８】
上記第１乃至第４の動作モードのように、信号発生装置２が、所定の時間間隔で低周波の周波数を段階的にまたは連続的に増加させる低周波電圧信号を発生する低周波発生モードと、低周波電圧信号の発生を終了した後、低周波電圧信号の最大周波数の１０倍以上の周波数の高周波電圧信号を発生する高周波発生モードを併用することで、高い育毛促進効果を得ることができることは、複数人の対象者を対象とした試験により確認されている。低周波電圧信号の最大周波数の１０倍以上の周波数の高周波電圧信号を発生することの臨界的意義は、試験結果から得られたものであり、理論的に理由付けができるものではないが、ある程度の再現性を持って効果が得られることは確認されている。
［光照射装置］
図１及び図２に示すように、本実施の形態では、育毛促進装置が、頭皮との間に所定の間隔を開けて配置される複数の発光ダイオードを備えた光照射装置１１をさらに備えている。図７（Ａ）及び（Ｂ）は、光照射装置１１の後述するヘッドカバー１４の底面図とヘッドカバー１４の装着状態を示す図である。図１に示すように、光照射装置１１は、移動可能な台車１２Ａを備えたスタンド１２のポール１３に上下方向の位置が調整可能に取り付けられたアーム１５の先端にヘッドカバー１４を備えている。ヘッドカバー１４は、輪郭形状が正五角形のパネル１６に波長の異なる複数種類の発光ダイオード１７が所定の配列に固定された６個の発光ダイオードユニット１８Ａ乃至１８Ｆを備えている。発光ダイオードユニット１８Ａ乃至１８Ｆは、スタンド１２のアーム１５に保持される１つの発光ダイオードユニット１８Ａの５個の辺にそれぞれ５個の発光ダイオードユニット１８Ｂ乃至１８Ｆがヒンジ機構１９を介して角度調整可能に連結されている。このような発光ダイオードユニット１８Ａ乃至１８Ｆを用いると、１種類の発光ダイオードユニットを用いてヘッドカバー１４を構成できる。その結果、ヘッドカバー１４の価格を下げることができる。また予備の発光ダイオードユニットを用意しておけば、１台の発光ダイオードユニットが故障した場合でも、簡単に交換修理ができる。
【００２９】
１つのパネル１６実装される複数種類の発光ダイオード１７として、本実施の形態では、波長が６４０ｎｍ〜６９０ｎｍの赤色発光ダイオードと、波長が４５０ｎｍ〜５００ｎｍの青色発光ダイオードと、波長が９２０ｎｍ〜９７０ｎｍの遠赤外線発光ダイオードを用いている。このような発光ダイオードを組み合わせると、光の刺激を効果的に使用できることが確認されている。これらの波長の光またはレーザは、殺菌効果、組織の活性化、血流増進、深部の傷口の消炎及び消毒、病巣の除去、色素の沈着除去等の効果が高く、頭皮照射による発毛促進効果が高い。発光ダイオードからの光による刺激を併用すると、発毛の促進効果をさらに高めることができることが確認されている。なお発光ダイオードはレーザ発光ダイオードでもよい。
【００３０】
図５（Ｂ）に示す例では、低周波・高周波発生装置１も併用するために、対象者Ｓは頭部ＨＤに一対の通電用パッド６Ａ及び６Ｂを装着して、低周波・高周波発生装置１と光照射装置１１の両方を併用しているが、併用は必ず必要なものではなく、いずれか一方を実施するだけでも、育毛効果を得ることはできる。また低周波・高周波発生装置１と光照射装置１１の両方を併用する場合、使用する時間と場所を変えて併用するようにしてもよいのは勿論である。
【００３１】
上記実施の形態では、正五角形のパネルを用いたが、正しいＮ角形（Ｎは３以上６以下の整数）のパネルを用いることができる。
【産業上の利用可能性】
【００３２】
本発明で用いる信号発生装置で発生する低周波電圧信号と高周波電圧信号とを少なくとも一対の通電用パッドに印加すると、従来の育毛促進装置よりも短い期間で、具体的には１ヶ月程度で育毛効果が得られることが確認されているので、本発明は産業上の利用可能性がある。
【符号の説明】
【００３３】
１  低周波・高周波発生装置
２  信号発生装置
２１  低周波電圧信号発生部
２２  高周波電圧信号発生部
３  制御部
４  動作モード記憶部
５  動作モード選択部
６  通電用パッド
１１  光照射装置
１２  スタンド
１３  ポール
１４  ヘッドカバー
１５  アーム
１６  パネル
１７  発光ダイオード
１８Ａ乃至１８Ｆ  発光ダイオードユニット
１９  ヒンジ機構
【図１】
2018019802.tif 000003
【図２】
2018019802.tif 000004
【図３】
2018019802.tif 000005
【図４】
2018019802.tif 000006
【図５】
2018019802.tif 000007
【図６】
2018019802.tif 000008
【図７】
2018019802.tif 000009